(57)【要約】【課題】取付部材の短手方向の長さを短くすることのできる分電盤を提供する。【解決手段】主幹開閉器２と、導電材料から長尺状に形成され主幹開閉器２の二次側に接続された３本の導電バー５ａ〜５ｃと、導電バー５ａ〜５ｃの長手方向に沿って並設され、対応する導電バー５ａ〜５ｃに電気的に接続される複数の分岐開閉器３とを盤本体１に収納して成り、導電バー５ａ〜５ｃの右側の分岐開閉器３を、それぞれ長手方向が右上方向と略一致するように配置し、導電バー５ａ〜５ｃの左側の分岐開閉器を、それぞれ長手方向が左上方向と略一致するように配置した。【選択図】図１
2008182853.tif 000002
【特許請求の範囲】
【請求項１】
背面が壁面と対向する向きに取り付けられる縦横の長さが異なる板状の取付部材と、取付部材の前面において取付部材の長手方向における一端側に配設される主幹開閉器と、取付部材の前面において主幹開閉器よりも取付部材の長手方向における他端側に配設されて取付部材の長手方向に沿って並設される複数の分岐開閉器とを備えた分電盤であって、分岐開閉器は、その長手方向が取付部材の短手方向及び長手方向の何れの方向とも一致しないように配置されることを特徴とする分電盤。
【請求項２】
前記分岐開閉器は、外部の負荷から引き回される電線が接続される負荷接続部を長手方向における一端部に備え、負荷接続部が分岐開閉器の長手方向における他端部よりも取付部材の短手方向における中心軸に対して外側に位置するように取付部材に配置されることを特徴とする請求項１記載の分電盤。
【請求項３】
前記取付部材の前面には、一端が主幹開閉器の二次側端子と接続されて取付部材の厚み方向に沿って並設される複数の導電バーが取付部材の長手方向に沿って配設され、分岐開閉器は、対応する導電バーの短手方向から差込接続される一対の刃受けを有する差込接続部を長手方向の一端部に複数備え、差込接続部は、分岐開閉器の短手方向及び長手方向に沿って互いにずらして設けられることを特徴とする請求項１記載の分電盤。
【請求項４】
前記取付部材の前面には、一端が主幹開閉器の二次側端子と接続されて取付部材の厚み方向に沿って並設される複数の導電バーが取付部材の長手方向に沿って配設され、分岐開閉器は、対応する導電バーの短手方向から差込接続される一対の刃受けを有する差込接続部を長手方向の一端部に複数備え、導電バーには、分岐開閉器の長手方向と略垂直な一辺を有し且つ差込接続部の刃受けに差込接続される複数の略三角形状の差込片が短手方向における少なくとも一方の側縁に一体に形成されたことを特徴とする請求項１記載の分電盤。 
【発明の詳細な説明】
【技術分野】
【０００１】
本発明は、分電盤に関する。
【背景技術】
【０００２】
従来から、背面が壁面と対向する向きに取り付けられる略平板状の取付部材の前面に、主幹開閉器や分岐開閉器等の電気機器を配設した分電盤が知られており、例えば特許文献１に開示されているようなものがある。この分電盤は、取付部材の長手方向（以下、上下方向とする）を略鉛直方向と略一致させるように取付部材を壁面に取付けた縦型の分電盤であって、取付部材の上側に主幹開閉器が配設されている。主幹開閉器の下側には、取付部材の厚み方向に並設された３本の帯板状の導電バーが、その長手方向を上下方向と略一致させるように配設されており、導電バーの短手方向における両側には、それぞれ複数の分岐開閉器が導電バーの長手方向に亘って並設されている。分岐開閉器は、導電バーに差込接続するプラグイン方式であって、その長手方向を取付部材の短手方向と略一致させるように導電バーの短手方向における両側それぞれから差込接続される。
【特許文献１】特開平１１−３４１６１８号公報
【発明の開示】
【発明が解決しようとする課題】
【０００３】
ところで、近年では棚やロッカー等の分電盤以外の物も壁面に沿って置かれるようになっている。このため、分電盤の壁面の横方向に占める割合を小さくすることが必要であり、多少縦方向の長さが大きくなってでもできる限り横方向の長さを短くした分電盤が要望されるようになってきている。
【０００４】
しかしながら、上記従来例では、分岐開閉器の長手方向が取付部材の短手方向と略一致させるように分岐開閉器を配設しているため、取付部材の短手方向の長さが分岐開閉器の長手方向における長さに依存してしまい、取付部材の短手方向の長さを短くすることができないという問題があった。
【０００５】
本発明は、上記の点に鑑みて為されたもので、取付部材の短手方向の長さを短くすることのできる分電盤を提供することを目的とする。
【課題を解決するための手段】
【０００６】
請求項１の発明は、上記目的を達成するために、背面が壁面と対向する向きに取り付けられる縦横の長さが異なる板状の取付部材と、取付部材の前面において取付部材の長手方向における一端側に配設される主幹開閉器と、取付部材の前面において主幹開閉器よりも取付部材の長手方向における他端側に配設されて取付部材の長手方向に沿って並設される複数の分岐開閉器とを備えた分電盤であって、分岐開閉器は、その長手方向が取付部材の短手方向及び長手方向の何れの方向とも一致しないように配置されることを特徴とする。
【０００７】
請求項２の発明は、請求項１の発明において、分岐開閉器は、外部の負荷から引き回される電線が接続される負荷接続部を長手方向における一端部に備え、負荷接続部が分岐開閉器の長手方向における他端部よりも取付部材の短手方向における中心軸に対して外側に位置するように取付部材に配置されることを特徴とする。
【０００８】
請求項３の発明は、請求項１の発明において、取付部材の前面には、一端が主幹開閉器の二次側端子と接続されて取付部材の厚み方向に沿って並設される複数の導電バーが取付部材の長手方向に沿って配設され、分岐開閉器は、対応する導電バーの短手方向から差込接続される一対の刃受けを有する差込接続部を長手方向の一端部に複数備え、差込接続部は、分岐開閉器の短手方向及び長手方向に沿って互いにずらして設けられることを特徴とする。
【０００９】
請求項４の発明は、請求項１の発明において、取付部材の前面には、一端が主幹開閉器の二次側端子と接続されて取付部材の厚み方向に沿って並設される複数の導電バーが取付部材の長手方向に沿って配設され、分岐開閉器は、対応する導電バーの短手方向から差込接続される一対の刃受けを有する差込接続部を長手方向の一端部に複数備え、導電バーには、分岐開閉器の長手方向と略垂直な一辺を有し且つ差込接続部の刃受けに差込接続される複数の略三角形状の差込片が短手方向における少なくとも一方の側縁に一体に形成されたことを特徴とする。
【発明の効果】
【００１０】
請求項１の発明によれば、分岐開閉器をその長手方向が取付部材の短手方向及び長手方向の何れの方向とも一致しないように配置したので、取付部材の短手方向における分岐開閉器が占める配置スペースを狭めることができ、したがって取付部材の短手方向における長さを短くすることができる。
【００１１】
請求項２の発明によれば、負荷接続部を分岐開閉器の長手方向における他端部よりも取付部材の短手方向における中心軸に対して外側に位置するように分岐開閉器を配置したので、負荷接続部に接続される電線を引き回す際の電線の曲げ径を小さくすることができ、したがって取付部材の短手方向における長さを短くすることができる。
【００１２】
請求項３の発明によれば、分岐開閉器の長手方向における一端部に、複数の差込接続部を分岐開閉器の短手方向及び長手方向に沿って互いにずらして設けたので、分岐開閉器を傾斜配置させた場合にも各差込接続部の導電バーとの接触面積を略等しくすることができ、差込接続部の接触信頼性を向上することができる。
【００１３】
請求項４の発明によれば、分岐開閉器の長手方向と略垂直な一辺を有し且つ差込接続部の刃受けに差込接続される複数の略三角形状の差込片を導電バーの短手方向における少なくとも一方の側縁に一体に形成したので、分岐開閉器を傾斜配置させた場合にも各差込接続部の導電バーとの接触面積を略等しくすることができ、差込接続部の接触信頼性を向上することができる。
【発明を実施するための最良の形態】
【００１４】
以下、本発明に係る分電盤の各実施形態について図面を用いて説明する。尚、以下の説明では、特に断りの無い限り図１（ａ）における上下左右を上下左右方向、紙面の手前側を前方向、紙面の奥側を後方向と定めるものとする。
【００１５】
（実施形態１）
以下、本発明に係る分電盤の実施形態１について図面を用いて説明する。本実施形態は、図１（ａ）に示すように、背面が壁面（図示せず）に取り付けられる略箱体の盤本体１の内部に、主幹開閉器２と、導電材料から長尺状に形成され主幹開閉器２の二次側に接続された３本の導電バー５ａ〜５ｃと、導電バー５ａ〜５ｃの長手方向に沿って並設され、対応する導電バー５ａ〜５ｃに電気的に接続される複数の分岐開閉器３とを収納して成る。
【００１６】
分岐開閉器３は、所謂プラグイン方式の回路遮断器であって、図１（ｂ）に示すように、略直方体状の開閉器本体３０と、開閉器本体３０の長手方向における一方の端部に装着される差込接続部であるカバー４とから成り、開閉器本体３０の上面にはハンドル３１が設けられている。カバー４の内側は、図示しない２つの隔壁によって図１（ｂ）における上下方向に沿って３つの部屋に区画され、各部屋に面する側壁には切り溝４０が形成されており、カバー４内の上側の区画及び中央の区画にそれぞれ一対の刃受けから成る刃受部４１が収納されている。而して、カバー４の切り溝４０に導電バー５ａ〜５ｃを差し込むことで各刃受部４１に導電バー５ａ〜５ｃが挟持され、導電バー５ａ〜５ｃと分岐開閉器３とが電気的に接続される。
【００１７】
また、開閉器本体３０の長手方向における他方の端部には、図示しないが端子板と鎖錠ばねとで構成される周知の速結端子からなる負荷接続部３２が設けられており、電線挿入孔（図示せず）を通して開閉器本体３０内に挿入された電線（図示せず）が端子板と鎖錠ばねとの間に保持されて電気的に接続されるとともに電線の引き抜きが防止される（鎖錠される）ようになっている。
【００１８】
盤本体１は、図１（ｂ）に示すように、前面が開口するとともに前面に外蓋１０が蝶番１０ａを介して開閉自在に取り付けられている。また、盤本体１の内部には、図１（ａ）に示すように、前面に主幹開閉器２が取り付けられた略四角形状の鉄板から成る主幹用基板１１と、前面に複数の分岐開閉器３が取り付けられた略四角形状の鉄板から成る分岐用基板１２とが配置されており、これら基板１１，１２を併せて全体として縦横の長さが異なる取付部材を構成している。盤本体１の内部には、主幹用基板１１及び分岐用基板１２を取り付けるための長尺の一対の取付片１３がそれぞれ盤本体１底面の左右両側辺に沿って設けられている。取付片１３は、盤本体１底面の四隅からそれぞれ立設されたボルト１４を挿通するための孔（図示せず）が長手方向の両端に穿設されており、この孔にボルト１４を挿通してナット１５をボルト１４に螺入することにより取付片１３が固定される。また、取付片１３には、その長手方向に沿って複数のねじ挿通孔１３ａが穿設されている。而して、主幹用基板１１及び分岐用基板１２を一対の取付片１３の前面に載置し、各基板１１，１２の四隅及び左右両側縁に上下方向に亘って穿設されたねじ挿通孔１１ａ，１２ａを取付片１３のねじ挿通孔１３ａと重ね合わせて、取付ねじ７によって螺合することで各基板１１，１２が取付片１３に固定される。
【００１９】
主幹開閉器２の二次側接続端子２ａには、導電材料から略Ｌ字状に形成された３本の連結バー６ａ〜６ｃの一端部がねじ止めされており、３本の連結バー６ａ〜６ｃの内、両側の連結バー６ａ，６ｂは電圧極用であり、中央の連結バー６ｃは中性極用である。また、両側の連結バー６ａ，６ｂは主幹開閉器２への接続部付近で折り曲げられ、外側の連結バー６ａは中央の連結バー６ｃに対して前面側に、内側の連結バー６ｂは中央の連結バー６ｃに対して後面側に配置されており、各連結バー６ａ〜６ｃは短手方向及び厚み方向にそれぞれ間隔をおいて配設されている。
【００２０】
連結バー６ａ〜６ｃの他端部に対応する分岐用基板１２の部位には、図１（ａ）に示すように、連結バー６ａ〜６ｃの他端部を支持する３個の階段部（図示せず）が上下方向に間隔をおいて設けられた上受け台１６が取付ねじ７により固定されており、連結バー６ａ〜６ｃの他端部と導電バー５ａ〜５ｃの一端部とをそれぞれ結合している。また、導電バー５ａ〜５ｃの他端部に対応する分岐用基板１２の部位には、導電バー５ａ〜５ｃの他端部を支持する下受け部材１７が固定されている。
【００２１】
上述のように導電バー５ａ〜５ｃは、前面側から電圧極用の導電バー５ａ、中性極用の導電バー５ｃ、電圧極用の導電バー５ｂの順に厚み方向に間隔をおいて並設され、分岐用基板１２の短手方向の略中央を盤本体１０の長手方向に沿って走っており、分岐開閉器３は導電バー５ａ〜５ｃの左右両側に、それぞれ導電バー５ａ〜５ｃの長手方向に沿って複数個並設される。而して、各導電バー５ａ〜５ｃの短手方向における側方から分岐開閉器３のカバー４の切り溝４１に導電バー５ａ〜５ｃを差し込むことで、カバー４の各刃受部４１がそれぞれ導電バー５ａ，５ｃに接続され、分岐開閉器３が導電バー５ａ〜５ｃより成る単相３線の電源ラインに接続される。
【００２２】
尚、分岐用基板１２において分岐開閉器３の長手方向における他方の端部が当接する部位には、各々分岐開閉器３を固定するための係止部１２ｂが設けられており、分岐開閉器３を導電バー５ａ〜５ｃに差込接続する際に、該係止部１２ｂを分岐開閉器３の長手方向における他方の側面に設けられた凹所（図示せず）に係止することで分岐開閉器３が分岐用基板１２に着脱自在に取付けられるようになっている。
【００２３】
ここで、本実施形態の分岐開閉器３は、導電バー５ａ〜５ｃに差込接続する際に分岐開閉器３の長手方向が盤本体１の短手方向及び長手方向と略一致しないように配置している点に特徴がある。即ち、本実施形態では、図１（ａ）に示すように、導電バー５ａ〜５ｃの右側の分岐開閉器３を、それぞれ長手方向が右上方向と略一致するように配置し、導電バー５ａ〜５ｃの左側の分岐開閉器を、それぞれ長手方向が左上方向と略一致するように配置している。
【００２４】
上述のように分岐開閉器３を配置することで、従来のように分岐開閉器３の長手方向が左右方向と略一致するように配置する場合と比較して、左右方向において分岐開閉器３が占める配置スペースを小さくすることができ、したがって盤本体１の左右方向における長さを短くすることができる。また、隣り合う分岐開閉器３が接触する面積を小さくすることができるので、分岐開閉器３の放熱性を向上することができ、したがって熱が篭もることによる分岐開閉器３の誤動作を防止することができる。
【００２５】
ところで、外部の負荷（図示せず）から引き回される一対の電線８を分岐開閉器３の負荷接続部３２に接続する際に、例えば従来のように分岐開閉器３を左右方向と略一致するように配置した場合は、図２（ｂ）に示すように、外部の負荷から引き回された一対の電線８を略直角に曲げて負荷接続部３２に接続しなければならない。このため、電線８を略直角に曲げるために左右方向のスペースが必要となり、結果として盤本体１の左右方向の長さを長くしなければならない。これに対して、本実施形態の分岐開閉器３の配置であれば、図２（ａ）に示すように、外部の負荷から引き回される一対の電線８を負荷接続部３２に接続する際に電線８を緩やかに曲げるだけで良いため、電線８を曲げるために必要な左右方向のスペースを小さくすることができ、結果として盤本体１の左右方向の長さを短くすることができる。尚、図２（ａ）、（ｂ）に示すように、右側の取付片１３と盤本体１の右側の長辺との間の寸法は、本実施形態及び従来例の何れとも同一寸法で形成されているが、本実施形態では、従来例と比較して分岐開閉器３の負荷接続部３２から電線８の曲げ部分までの直線部分が長く余裕があるために、該直線部分を短くすることで盤本体１の左右方向のスペースを小さくすることが可能であるのは言うまでもない。
【００２６】
尚、分岐開閉器３の配置は上記のものに限定される必要は無く、例えば図３（ａ）に示すように、導電バー５ａ〜５ｃの右側の分岐開閉器３を、それぞれ長手方向が右下方向と略一致するように配置し、導電バー５ａ〜５ｃの左側の分岐開閉器３を、それぞれ長手方向が左下方向と略一致するように配置しても構わない。また、図３（ｂ）に示すように、分岐開閉器３を導電バー５ａ〜５ｃの左右どちらか一方側（図示では左側）のみに配置するようにしても構わない。更に、図３（ｃ）に示すように、導電バー５ａ〜５ｃの右側の分岐開閉器３を、それぞれ長手方向が右上方向と略一致するように配置し、導電バー５ａ〜５ｃの左側の分岐開閉器３を、それぞれ長手方向が左下方向と略一致するように配置しても構わない。
【００２７】
（実施形態２）
以下、本発明に係る分電盤の実施形態２について図面を用いて説明する。但し、本実施形態の基本的構成は実施形態１と共通するので、実施形態１と共通する部位には同一の番号を付して説明を省略する。本実施形態のカバー４は、図４（ａ）に示すように、カバー４を分岐開閉器３の短手方向の略中央で２分割した第１のカバー４ａと第２のカバー４ｂとから成る。第１のカバー４ａと第２のカバー４ｂは、図４（ｃ）に示すように、何れも２つの隔壁によって図４（ｃ）における上下方向に沿って３つの部屋に区画され、各部屋に面する側壁には切り溝４０が形成されており、第１のカバー４ａ内の上側の区画及び第２のカバー４ｂの中央の区画にそれぞれ一対の刃受けから成る刃受部４１を収納している。即ち、本実施形態の分岐開閉器３では、各刃受部４１が分岐開閉器３の短手方向において互いにずれて配置されている。
【００２８】
ここで、第１のカバー４ａと第２のカバー４ｂとは、図４（ｂ）に示すように、分岐開閉器３の長手方向に沿って所定の長さだけ互いにずらして設けられており、第２のカバー４ｂの方が第１のカバー４ａよりも突出している。したがって、図４（ｃ）に示すように、各接続端子板の一端に備えられた刃受部４１も分岐開閉器３の長手方向において互いにずらして配置され、第２のカバー４ｂの刃受部４１の方が第１のカバー４ａの刃受部４１よりも突出して配置される。
【００２９】
上述のように、分岐開閉器３のカバー４を第１のカバー４ａ及び第２のカバー４ｂから構成し、各カバー４ａ，４ｂを分岐開閉器３の長手方向に沿って所定の長さだけ互いにずらして設けることで、分岐開閉器３を本実施形態のように傾斜させて導電バー５ａ〜５ｃに差込接続した場合に、各刃受部４１と導電バー５ａ〜５ｃとの接触面積を略等しくすることができ、各カバー４ａ，４ｂの刃受部４１と導電バー５ａ〜５ｃとの接触信頼性を向上することができる。また、実施形態１と比較して各刃受部４１と導電バー５ａ〜５ｃとの接触面積を大きくすることができるので、接触面積の不足による分岐開閉器３の動作時の損失を低減することができる。
【００３０】
尚、第１のカバー４ａ及び第２のカバー４ｂの形態は上記のものに限定される必要は無く、例えば図３（ａ）に示すような分岐開閉器３の配置であれば、第１のカバー４ａの方が第２のカバー４ｂよりも突出するように設けるのが望ましい。
【００３１】
（実施形態３）
以下、本発明に係る分電盤の実施形態３について図面を用いて説明する。但し、本実施形態の基本的構成は実施形態１と共通するので、実施形態１と共通する部位には同一の番号を付して説明を省略する。本実施形態は導電バー５ａ〜５ｃに特徴があり、図５に示すように、略三角形状の差込片５０が導電バー５ａ〜５ｃの左右両側縁にそれぞれ複数個一体に形成され、導電バー５ａ〜５ｃは全体として鋸形状となっている。
【００３２】
差込片５０は、分岐開閉器３の長手方向、即ち分岐開閉器３の差込方向と略垂直な一辺を有している。したがって、従来のように帯板状の導電バー５ａ〜５ｃに分岐開閉器３を差込接続する場合と比較して、差込片５０と各刃受部４１との接触面積を大きくすることができるので、接触面積の不足による分岐開閉器３の動作時の損失を低減することができる。
【００３３】
ところで、各相で刃受部４１が分岐開閉器３の短手方向において互いにずらして設けられているような分岐開閉器３を従来のような帯板状の導電バー５ａ〜５ｃに接続する場合においては、各刃受部４１で接触面積が異なってしまうが、本実施形態の導電バー５ａ〜５ｃを採用すれば、各刃受部４１と導電バー５ａ〜５ｃとの接触面積を略等しくすることができ、カバー４の刃受部４１と導電バー５ａ〜５ｃとの接触信頼性を向上することができる。
【図面の簡単な説明】
【００３４】
【図１】本発明の実施形態１の分電盤を示す図で、（ａ）は外蓋を取り外した状態における正面図で、（ｂ）は外蓋を取り付けた状態におけるＡ−Ａ’線断面矢視図である。
【図２】同上の分岐開閉器に電力線を取り付けた場合を示す図で、（ａ）は本実施形態の外蓋を取り外した状態における正面図で、（ｂ）は従来の外蓋を取り外した状態における正面図である。
【図３】同上の他の分岐開閉器の配置例を示す図で、（ａ）は略ハ字状に配置した場合の正面図で、（ｂ）は導電バーの短手方向における片側のみに配置した場合の正面図で、（ｃ）は導電バーの短手方向における両側に略一直線状に配置した場合の正面図である。
【図４】本発明の実施形態２の分電盤を示す図で、（ａ）は外蓋を取り外した状態における正面図で、（ｂ）は分岐開閉器の一部拡大図で、（ｃ）は分岐開閉器のカバーの側面図である。
【図５】本発明の実施形態３の分電盤を示す外蓋を取り外した状態における正面図である。
【符号の説明】
【００３５】
１１  主幹用基板（取付部材）
１２  分岐用基板（取付部材）
２  主幹開閉器
３  分岐開閉器 
【図１】
2008182853.tif 000003
【図２】
2008182853.tif 000004
【図３】
2008182853.tif 000005
【図４】
2008182853.tif 000006
【図５】
2008182853.tif 000007